(57)【要約】【課題】実装や配線の制約を少なくしたうえでコイル部品の特性を安定させるもの。【解決手段】単一の平角導体からなり、同一平面上に形成した第１巻回部８と第２巻回部９と、ロ字形磁心とを備え、第１巻回部８は閉じた第１空心部８Ａを有するとともに、この第１空心部８Ａにロ字形磁心の脚部を貫通させ、第２巻回部９は開口部２１を設けた第２空心部９Ａを有し、この第２空心部９Ａにロ字形磁心の脚部を貫通させて第１巻回部８および第２巻回部９によりロ字形磁心に生じる磁束を同一方向とさせ、平角導体の両端をロ字形磁心に対して一方側に引き出したコイル部品。【選択図】図１
2013038371.tif 000002
【特許請求の範囲】
【請求項１】
単一の平角導体からなり、同一平面上に形成した第１巻回部と第２巻回部と、
ロ字形磁心とを備え、
前記第１巻回部は閉じた第１空心部を有するとともに、この第１空心部に前記ロ字形磁心の脚部を貫通させ、前記第２巻回部は開口部を設けた第２空心部を有し、
この第２空心部に前記ロ字形磁心の脚部を貫通させて前記第１巻回部および前記第２巻回部により前記ロ字形磁心に生じる磁束を同一方向とさせ、
前記平角導体の両端を前記ロ字形磁心に対して一方側に引き出したコイル部品。
【請求項２】
第１始端部と第１終端部とを有する第１導体を前記第１始端部と前記第１終端部との間で交差させて閉じた環状の第１環状部を第１巻回方向に形成した第１巻回部と、第２始端部と第２終端部とを有する第２導体を前記第２始端部と前記第２終端部との間に開口部を有した環状の第２環状部を前記第１巻回方向とは逆方向の第２巻回方向に形成した第２巻回部とを、前記第１終端部と前記第２始端部とを接続することで形成したコイル部と、ロ字形磁心とを備え、このロ字形磁心において対向する磁脚のうちの一方の磁脚を前記第１環状部に、他方の磁脚を前記第２環状部に貫通させ、前記第１始端部と前記第２終端部とを前記ロ字形磁心に対して同一方向となる一方側に配置したコイル部品。
【請求項３】
第１導体と第２導体とは連続した単一の平角導体によって形成したうえで第１終端部と第２巻線部とは同一平面上に形成した請求項２に記載のコイル部品。
【請求項４】
第１始端部と第１終端部とを有する第１導体を前記第１始端部と前記第１終端部との間で交差させて閉じた環状の第１環状部を第１巻回方向に形成した第１巻回部と、第２始端部と第２終端部とを有する第２導体を前記第２始端部と前記第２終端部との間に開口部を有した環状の第２環状部を前記第１巻回方向とは逆方向の第２巻回方向に形成した第２巻回部とを、前記第１終端部と前記第２始端部とを接続することで形成した第１コイル部と、第３始端部と第３終端部とを有する第３導体を前記第３始端部と前記第３終端部との間で交差させて閉じた環状の第３環状部を第３巻回方向に形成した第３巻回部と、第４始端部と第４終端部とを有する第４導体を前記第４始端部と前記第４終端部との間に開口部を有した環状の第４環状部を前記第１巻回方向とは逆方向の第４巻回方向に形成した第４巻回部とを、前記第３終端部と前記第４始端部とを接続することで形成した第２コイル部と、ロ字形磁心とを備え、このロ字形磁心において対向する磁脚のうちの一方の磁脚を前記第１、４環状部に、他方の磁脚を前記第２、３環状部にそれぞれ貫通させ、前記第２終端部と前記第３始端部とを或いは前記第４終端部と前記第１始端部とを接続したうえで、前記第１始端部と前記第１環状部との間に位置する第１引き込み部と前記第３始端部と前記第３環状部との間に位置する第３引き込み部とを同一平面上に配置したコイル部品。
【請求項５】
コイル部を二次側とし、一方の磁脚と他方の磁脚とにそれぞれ第１の一次巻線と第２の一次巻線とを巻回し、前記第１の一次巻線における一方の端部と前記第２の一次巻線における一方の端部とをロ字形磁心内に生じる磁束が同一方向となるよう接続し、コイル部に流れる電流が順方向となるようにした請求項２〜４の何れかに記載のコイル部品。
【発明の詳細な説明】
【技術分野】
【０００１】
本発明は各種電子機器に使用されるコイル部品に関するものである。
【背景技術】
【０００２】
以下、従来のコイル部品について図面を用いて説明する。図６は従来のコイル部品を示す外観図であり、このコイル部品ではチョークコイル１を構成するにあたり、ロ字形磁心２の脚部３、４に、複数の個別の巻線部である第一巻線部５と第二巻線部６とを巻回配置し、第一巻線部５と第二巻線部６とのそれぞれにおいて電流が流れることによって生じる磁束５ａ、６ａがロ字形磁心２を通る状態において同一方向となるように、第一巻線部５と第二巻線部６とを接続するものであった。
【０００３】
ここで、図中の矢印Ａの方向から第一巻線部５と第二巻線部６とを見る場合、概ね８の字状の軌跡を描いたうえで図６におけるロ字形磁心２の手前側から第一巻線部５の端部５ｂを引き込み、ロ字形磁心２の奥側へ第二巻線部６の端部６ｂを引き出すよう構成するものであった。
【０００４】
なお、この出願の発明に関する先行技術文献情報としては例えば特許文献１が知られている。
【先行技術文献】
【特許文献】
【０００５】
【特許文献１】特開平１１−２７３９７５号公報
【発明の概要】
【発明が解決しようとする課題】
【０００６】
従来のコイル部品では、第一巻線部５と第二巻線部６とを同一の巻回数とする際には、当然ながら端部５ｂ、６ｂはロ字形磁心２を挟んで反対側に位置するため、チョークコイル１の実装および配線においてはその位置に制約条件を有してしまう恐れがあるものであった。
【０００７】
また、上記の制約条件を取り除くため、図７に示すように第二巻線部６の端部６ｂをロ字形磁心２の手前側へと引き出すことは可能であるものの、ここでチョークコイル１を大電流対応とするために平角導体を適用して少ない巻回数で第一巻線部５、第二巻線部６を形成する場合などにおいては、第一巻線部５と第二巻線部６とでは巻回数が異なる状態となり、同時にそれぞれの巻回数が少ないために第一巻線部５と第二巻線部６とにおける発熱量にもまた差異が生じることとなり、この発熱量の差異を考慮したうえでの設計や配置が必要となる課題を有するものでもあった。
【０００８】
またここでは、チョークコイルとして例示したが、図６において示した第一巻線部５と第二巻線部６とをトランスの一次側巻線として形成した場合、二次側巻線（図示せず）の端部（図示せず）をロ字形磁心２の手前側あるいは奥側にて引き込みや引き出しを行うと、一次側の端部５ｂ、６ｂと二次側の端部（図示せず）とが必ず近接する事態が生じることとなり、絶縁状態を強く考慮した設計が必要となるものであった。
【０００９】
あるいは、同様に図７において示した第一巻線部５と第二巻線部６とをトランスの一次側巻線として形成した場合、第一巻線部５と第二巻線部６との巻回数が異なるために、それぞれに対向する二次側巻線（図示せず）との結合状態もまた異なり、結合状態の平衡を得るために二次側巻線（図示せず）における第一巻線部５側に位置する部分と第二巻線部６側に位置する部分をそれぞれ異なる特性に設定することや、異なる位置関係とすることが必要となる課題を有するものであった。
【００１０】
そこで本発明は、実装や配線の制約を少なくしたうえでコイル部品の特性を安定させることを可能とするものである。
【課題を解決するための手段】
【００１１】
そしてこの目的を達成するために、単一の平角導体からなり、同一平面上に形成した第１巻回部と第２巻回部と、ロ字形磁心とを備え、前記第１巻回部は閉じた第１空心部を有するとともに、この第１空心部に前記ロ字形磁心の脚部を貫通させ、前記第２巻回部は開口部を設けた第２空心部を有し、この第２空心部に前記ロ字形磁心の脚部を貫通させて前記第１巻回部および前記第２巻回部により前記ロ字形磁心に生じる磁束を同一方向とさせ、前記平角導体の両端を前記ロ字形磁心に対して一方側に引き出したことを特徴としたものである。
【発明の効果】
【００１２】
本発明によれば、端子や配線の引き出しの自由度が高まることで絶縁等を考慮した設計が可能となるとともに、分割した２つの巻線部における個々の特性を同等とすることでコイル部品としての発熱や結合についての特性を安定したものとすることができる。
【図面の簡単な説明】
【００１３】
【図１】本発明の実施例におけるコイル部品の第１の分解斜視図
【図２】本発明の実施例におけるコイル部品の第１の断面図
【図３】本発明の実施例におけるコイル部品の第２の分解斜視図
【図４】本発明の実施例におけるコイル部品の第２の断面図
【図５】本発明の実施例におけるコイル部品の第３の分解斜視図
【図６】従来のコイル部品の第１の配線図
【図７】従来のコイル部品の第２の配線図
【発明を実施するための形態】
【００１４】
以下、実施例を用いて本発明について説明する。
【実施例】
【００１５】
図１は本発明のコイル部品を示す分解斜視図である。ここではまずチョークコイル７を例として説明する。
【００１６】
チョークコイル７は第１巻回部８と第２巻回部９とを接続点１０において接続したコイル部１１と、突き合せてロ字形状とするＵ字形磁心１２とを組み合わせることによって構成している。第１巻回部８は、第１始端部１３と第１終端部１４とを有する第１導体１５を曲げ加工することによって第１始端部１３と第１終端部１４との間に交差部１６を形成すると同時に、上面からみて第１空心部８Ａを有するとともに閉じた状態となる第１環状部１７を形成している。ここで、第１環状部１７の第１始端部１３から第１終端部１４へと至る巻回方向としては上面から見て反時計方向に巻回している。そして、第２巻回部９は第２始端部１８と第２終端部１９とを有する第２導体２０を曲げ加工することによって、第２始端部１８と第２終端部１９との間に上面からみて第２空心部９Ａを有するとともに閉じた状態とならずに開口部２１を有した第２環状部２２を形成している。ここで、第２環状部２２の第２始端部１８から第２終端部１９へと至る巻回方向としては上面から見て時計方向に巻回している。ここでは、第１環状部１７を反時計方向、第２環状部２２を時計方向として巻回することとして説明しているが、お互いが逆方向の巻回方向となれば、何れが時計回りであっても、或いは反時計回りであっても構わなく、この関係を満たしたうえで第１環状部１７の第１空心部８Ａおよび第２環状部２２の第２空心部９ＡにＵ字形磁心１２の対向した位置にあるそれぞれの磁脚１２ａを貫通させている。また、第１巻回部８と第２巻回部９とを接続点１０において接続することとして説明しているが、第１導体と第２導体とを連続した１本の導体によって形成し、各部位の便宜上の名称として上記の形態として何ら問題は無いものである。
【００１７】
また、チョークコイル７が外部と接続や実装を行う際の外部接続端子となり得る第１導体１５の第１始端部１３および第２導体２０の第２終端部１９は、突き合せることによってロ字形状とするＵ字形磁心１２に対して図１における手前側あるいは奥側の何れか一方側に共に同一方向へ並列して配置している。
【００１８】
以上の構成により、図２の断面図に示すようにロ字形磁心２３の内部を通ることとなる磁束φは第１巻回部８で発生するものと第２巻回部９で発生するものとで方向が同一となり、また第１巻回部８と第２巻回部９とを共に１ターンとしていることからそれぞれに発生する磁束量もまたほぼ同一となった状態でチョークコイル７が機能することとなる。そしてそのうえで、図１に示すように外部との接続を行う第１始端部１３と第２終端部１９とは、ロ字形磁心を形成することとなるＵ字形磁心１２に対して同一方向に配置した状態となる。
【００１９】
従って、第１巻回部８と第２巻回部９とでは発熱量がほぼ同等となり、第１導体１５と第２導体２０とは同一の断面寸法の導体を適用して最適な設定とすることができ、何れか一方において発熱に対して余裕が大きな設計、あるいは何れか一方において発熱に対する余裕が小さな設計となることはなく、熱に関する偏りが生じ難いことから何れの巻回部に対しても適切であり材料の使用においても効率的な設計を行うことができるものである。そして、この形態では外部との接続を行う第１始端部１３と第２終端部１９とが、ロ字形磁心２３に対して同一方向に位置することで、実装や接続の際に必要とする被実装部（図示せず）の面積を抑制することが可能ともなる。
【００２０】
また、第１導体１５と第２導体２０とは先述のように同一の断面寸法としたうえで、つまり単一の平角導体を使用し、図２に示すように第１巻回部８の第１終端部１４と第２巻回部９とは同一平面上に形成することが望ましい。ここで第１巻回部８は、図１に示すように閉じた状態の第１環状部１７を単一の第１導体１５によって形成するため必然的に交差部１６を生じることとなる。これは図２に示すように第１巻回部８における特に第１終端部１４の近傍では交差部１６と第１終端部１４とが上下に重なった位置関係となる。
【００２１】
しかしながら、コイル部１１の断面としては部分的に上下に重複する部分は存在するものの概ね一層の導体からなるものとすることができ、そのうえで第１終端部１４と第２巻回部９とのそれぞれの底面を同一面として平角導体を適用することで、非常に安定した状態でロ字形磁心２３との位置関係を維持することが可能となる。これは、ロ字形磁心２３に対して直接その上にコイル部１１を載置する場合はロ字形磁心内周部２３ａの平坦度が確保できていれば、これらの安定した位置関係を確保できるものであり、また或いはここでは図示していないものの、ボビンを使用してコイル部１１を保持する場合も、そのボビンとコイル部１１との位置関係を安定化させ、電気的、磁気的特性を安定化させることは言うまでもない。それに加え、第１終端部１４と第２巻回部９とのそれぞれの底面を同一面として平角導体を適用することでボビン（図示せず）の形状を複雑化することなく、コイル部１１において発生する熱が伝達する面積を大きくすることで、この熱を効率良く伝えることが可能となる。
【００２２】
ここまでは、単一のコイル部１１をロ字形磁心２３と組み合わせることで、チョークコイル７を形成するものについて述べたが、コイル部１１を２層、或いは偶数層積層することで、効率良く薄型化を実現することもできる。その例として、２層のコイル部を設けた場合を図３の分解斜視図に示す。コイル部１１については図１と同様に図３においても示しており、チョークコイル７は第１巻回部８と第２巻回部９とを接続点１０において接続したコイル部１１と、突き合せてロ字形状とするＵ字形磁心１２とを組み合わせることによって構成している。第１巻回部８は、第１始端部１３と第１終端部１４とを有する第１導体１５を曲げ加工することによって第１始端部１３と第１終端部１４との間に交差部１６をコイル部１１の上面側に形成すると同時に、上面からみて閉じた状態となる第１環状部１７を形成している。ここで、第１環状部１７の第１始端部１３から第１終端部１４へと至る巻回方向としては上面から見て反時計方向に巻回している。そして、第２巻回部９は第２始端部１８と第２終端部１９とを有する第２導体２０を曲げ加工することによって、第２始端部１８と第２終端部１９との間に上面からみて閉じた状態とならずに開口部２１を有した第２環状部２２を形成している。ここで、第２環状部２２の第２始端部１８から第２終端部１９へと至る巻回方向としては上面から見て時計方向に巻回している。
【００２３】
ここではさらに、コイル部１１に加えてコイル部１１の上に第２コイル部１１ａを積層している。この第２コイル部１１ａは基本的な構造としてコイル部１１に準じたものであり、コイル部１１の上面と下面とを裏返した状態としたものであっても構わない。
【００２４】
この第２コイル部１１ａは第３巻回部８ａと第４巻回部９ａとを第２接続点１０ａにおいて接続することで形成している。ここで第３巻回部８ａは、第３始端部１３ａと第３終端部１４ａとを有する第３導体１５ａを曲げ加工することによって第３始端部１３ａと第３終端部１４ａとの間に第２交差部１６ａを第２コイル部１１ａの下面側に形成すると同時に、上面からみて閉じた状態となる第３環状部１７ａを形成している。ここで、第３環状部１７ａの第３始端部１３ａから第３終端部１４ａへと至る巻回方向としては上面から見て時計方向に巻回している。そして、第４巻回部９ａは第４始端部１８ａと第４終端部１９ａとを有する第４導体２０ａを曲げ加工することによって、第４始端部１８ａと第４終端部１９ａとの間に上面からみて閉じた状態とならずに第２開口部２１ａを有した第４環状部２２ａを形成している。ここで、第４環状部２２ａの第４始端部１８ａから第４終端部１９ａへと至る巻回方向としては上面から見て反時計方向に巻回している。
【００２５】
ここで、コイル部１１と第２コイル部１１ａとの間の差異として重要な点は、コイル部１１では第１始端部１３と第１環状部１７との間に位置する交差部１６が第１巻回部８と第２巻回部９の上側に位置することに対して、第２コイル部１１ａでは第３始端部１３ａと第３環状部１７ａとの間に位置する第２交差部１６ａが第３巻回部８ａと第４巻回部９ａの下側に位置することである。また、上面側から或いは下面側から見た場合に、上下に位置することとなる第１環状部１７と第４環状部２２ａとで同一の第１の方向の電流となるような第１の巻回方向、同様に上下に位置することとなる第２環状部２２と第３環状部１７ａとで同一の第２の方向の電流となるような第２の巻回方向として巻回あるいは接続しており、第１の巻回方向と第２の巻回方向は逆方向としている。そして、以上の関係を満たしたうえで第１環状部１７と第４環状部２２ａにＵ字形磁心１２の一方の磁脚１２ａを、第２環状部２２と第３環状部１７ａにＵ字形磁心１２の他方の磁脚１２ａをそれぞれ貫通させている。つまり、第１環状部１７、第４環状部２２ａ、第２環状部２２および第３環状部１７ａに電流が流れることによってＵ字形磁心１２に生じる磁束の方向が同一方向のループを描くこととなるようにしている。
【００２６】
このとき、第２終端部１９と第３始端部１３ａとを接続して短絡させた場合は、第１始端部１３と第４終端部１９ａとが外部接続のための端子となり、またあるいは、第１始端部１３と第４終端部１９ａとを接続して短絡させた場合は第２終端部１９と第３始端部１３ａとが外部接続のための端子となる。これにより、それぞれの磁脚１２ａに対して各々２ターンの巻回数を得ることとなる。
【００２７】
以上の図３に示したチョークコイル７を図４の断面図を用いて説明する。ここでも、第１巻回部８の第１終端部１４と第２巻回部９とは同一平面上に形成し、同様に第３巻回部８ａの第３終端部１４ａと第４巻回部９ａともまた同一平面上に形成している。
【００２８】
そしてこれに加えて、コイル部１１の上面側に位置する交差部１６と、第２コイル部１１ａの下面側に位置する第２交差部１６ａとをほぼ同一平面上に形成し、交差部１６と第２交差部１６ａとは共にコイル部１１の大部分と第２コイル部１１ａの大部分とに挟まれた位置に配置している。つまり、断面形状としては上側へ凸状に突出している部位である交差部１６を有するコイル部１１と、下側へ凸状に突出している部位である第２交差部１６ａを有する第２コイル部１１ａとを巴状に配置した形態としている。
【００２９】
このとき、図４においても明らかなように双方の磁脚１２ａには巻数としては各々２ターンが巻回された状態となっており、それを得るために３層相当に積層した導体が存在することともなる。仮に引き込み側と引き出し側との双方に交差する部位が存在する場合、各々の磁脚１２ａに１ターンの巻回部位を形成するにあたってそれを形成するためには２層分に相当する導体を積層することとなり、必然的に各々の磁脚１２ａに２ターンの巻回部位を形成するためには４層分に相当する導体を積層することとなる。このような構成の比較からも明らかなように図４に示すコイル部１１と第２コイル部１１ａとを形成して配置することにより、積層する層数を少なくしたうえで同等の巻回数を得ることが可能となる。従って、薄型化への対応が可能であることや、第１環状部１７と第４環状部２２ａとを、あるいは第２環状部２２と第３環状部１７ａとを密着するように接近配置ができるため、より効率よくインダクタンスを得ることが可能ともなる。これについては、特に大電流対応で巻回数が少なく、大きな断面積を有する導体を適用する際において近接、密着配置に対応し易く、非常に大きな効果を有することとなる。
【００３０】
また、複数層に積層しない先に述べた例と同様に、左右の磁脚１２ａに巻回する導体からの発熱量がほぼ同等となり、何れか一方において発熱に対して余裕が大きな設計、あるいは何れか一方において発熱に対する余裕が小さな設計となることはなく、熱に関する偏りが生じ難いことから何れの巻回部に対しても適切であり材料の使用においても効率的な設計を行うことができることは言うまでも無い。特に、一方の磁脚１２ａでは閉じた形状の第１環状部１７と開口部を有した形状の第４環状部２２ａとによって２ターンを形成し、他方の磁脚１２ａでも開口部を有した形状の第２環状部２２と閉じた形状の第３環状部１７ａとによって２ターンを形成することで発熱量やインダクタンスの、双方の磁脚１２ａにおける巻回部位における近似度をより高めることができるものでもある。
【００３１】
そして、この形態では外部との接続を行う第１始端部１３と第４終端部１９ａ、あるいは第２始端部１８と第３終端部１４ａとが図３に示すＵ字形磁心１２に対する同一方向に位置することで、実装や接続の際に必要とする実装先の面積を抑制することが可能ともなる点についても同様である。
【００３２】
ここではコイル部１１と第２コイル部１１ａとは全く同形状のものを互いに裏返した位置関係で配置することで説明したが、全く同形状のものを適用する必要はなく、第１始端部１３、第２始端部１８、第３終端部１４ａ、第４終端部１９ａについては、外部の実装部位や内部の接続部位に応じて、左右の水平方向に移動させても構わなく、第１環状部１７と第４環状部２２ａとが、そして第２環状部２２と第３環状部１７ａとが磁脚１２ａを軸として上下方向に一致する位置関係を維持すればよいものである。これらの効果については、コイル部１１と第２コイル部１１ａとを１組とするように偶数のコイル部１１を適用する際に、より大きなものとすることができる。
【００３３】
ここまでの説明では、コイル部品をチョークコイル７として適用することで説明したが、図５の分解斜視図に示すようにコイル部１１と第２コイル部１１ａとを接続して一次側あるいは二次側とし、二次側あるいは一次側として巻線部２４および巻線部２４ａを各々の磁脚１２ａへ巻回配置してコイル部品をトランスとしても構わない。ここでは、一方の磁脚１２ａ側に配置した巻線部２４が有する巻線端部２５のうちの一方と、他方の磁脚１２ａ側に配置した巻線部２４ａが有する巻線端部２５ａのうちの一方とを、巻線部２４と巻線部２４ａとが同一の巻回数として接続するとよい。
【００３４】
ここで、コイル部１１と第２コイル部１１ａとを接続して一次側とする場合は、第１環状部１７、第２環状部２２、第３環状部１７ａ、第４環状部２２ａのそれぞれで生じる磁束が、突き合せることによってロ字形状とするＵ字形磁心１２において同一方向となる接続とし、巻線部２４と巻線部２４ａとは、そこに流れる電流が打ち消しあうことのない順方向として、同一方向となるように単出力となるべく接続すればよい。あるいは、巻線部２４と巻線部２４ａとを接続して一次側とする場合は、巻線部２４と巻線部２４ａとのそれぞれで生じる磁束が、突き合せることによってロ字形状とするＵ字形磁心１２において同一方向となる接続とし、コイル部１１と第２コイル部１１ａとは、そこに流れる電流が打ち消しあうことのない順方向として、同一方向となるように単出力となるべく接続すればよいことは同様である。当然ながら二出力とする場合は、二次側における相互の接続は行わないため、その極性を考慮する必要はない。
【００３５】
この構成とすることで、例えば巻線部２４と巻線部２４ａとを接続して一次側とする場合、巻数の少ない二次側となるコイル部１１と第２コイル部１１ａにおいて各々の磁脚１２ａに巻回するターン数が近似しているため、一次側の巻線部２４に対向する第１環状部１７、第４環状部２２ａとの結合状態が、一次側の巻線部２４ａに対向する第２環状部２２、第３環状部１７ａとの結合状態とが非常に近似した状態となる。その結果として非常に効率よくトランスを構成する個々要素を機能させ、トランスとして損失が少ない状態で動作させることができ、かつ、出力が複数となる場合においては平衡の採れた出力を得ることができるものである。
【００３６】
また、先にも述べたように、コイル部１１や第２のコイル部１１ａの引き込み側は、突き合せることによってロ字形状とするＵ字形磁心１２の一方側に集中させ、引き出し側を巻線部２４や巻線部２４ａをロ字形状とするＵ字形磁心１２の他方側に集中させることができるので、高圧側である一次側（あるいは二次側）と低圧側である二次側（あるいは一次側）とを引き込みや引き出しの領域で分離でき、一次側と二次側との絶縁性の維持を容易にするものでもある。
【００３７】
ここでは二次側として、コイル部１１と第２のコイル部１１ａとによる複数のコイル部によって形成するものを例として示したが、コイル部１１あるいは第２のコイル部１１ａの何れか一方としても構わない。
【産業上の利用可能性】
【００３８】
本発明のコイル部品は、実装や配線の制約を少なくしたうえでコイル部品の特性を安定させる効果を有し、各種電子機器において有用である。
【符号の説明】
【００３９】
７  チョークコイル
８  第１巻回部
８ａ  第３巻回部
８Ａ  第１空心部
９  第２巻回部
９ａ  第４巻回部
９Ａ  第２空心部
１０  接続点
１０ａ  第２接続点
１１  コイル部
１１ａ  第２コイル部
１２  Ｕ字形磁心
１２ａ  磁脚
１３  第１始端部
１３ａ  第３始端部
１４  第１終端部
１４ａ  第３終端部
１５  第１導体
１５ａ  第３導体
１６  交差部
１６ａ  第２交差部
１７  第１環状部
１７ａ  第３環状部
１８  第２始端部
１８ａ  第４始端部
１９  第２終端部
１９ａ  第４終端部
２０  第２導体
２０ａ  第４導体
２１  開口部
２１ａ  第２開口部
２２  第２環状部
２２ａ  第４環状部
２３  ロ字形磁心
２３ａ  ロ字形磁心内周部
２４、２４ａ  巻線部
２５、２５ａ  巻線端部
【図１】
2013038371.tif 000003
【図２】
2013038371.tif 000004
【図３】
2013038371.tif 000005
【図４】
2013038371.tif 000006
【図５】
2013038371.tif 000007
【図６】
2013038371.tif 000008
【図７】
2013038371.tif 000009